(57)【要約】【課題】適切なトルクを提供することにより第１部材及び第２部材の急速な回転を防止するヒンジを提供する。【解決手段】第１回転軸Ａ１に向かう第１方向に付勢された第１摺動板１２を含む第１取付部材１０と、第２回転軸Ａ２に向かう第２方向に付勢された第２摺動板２２を含む第２取付部材２０と、第１取付部材１０及び第２取付部材２０を連結し、第１摺動板１２及び第２摺動板２２とそれぞれ接する第１摺動面及び第２摺動面を有する連結部材３０と、を含み、第１摺動面は、第１方向に対して第１回転軸から前記第２軸に向かう連結方向のなす角度に応じて前記第１摺動板と第１回転軸Ａ１との距離を規定するように形成され、第２摺動面は、第２方向に対して前記連結方向のなす角度に応じて第２摺動板２２と前記第２軸Ａ２との距離を規定するように形成されている。【選択図】図１
2018003533.tif 000002
【特許請求の範囲】
【請求項１】
第１部材及び第２部材を互いに回転可能に支持するヒンジであって、
前記第１部材に取り付けられ、第１回転軸の周りに回転可能であって、前記第１回転軸に向かう第１方向に付勢された第１摺動板を含む第１取付部材と、
前記第２部材に取り付けられ、第２回転軸の周りに回転可能であって、前記第２回転軸に向かう第２方向に付勢された第２摺動板を含む第２取付部材と、
前記第１回転軸及び前記第２回転軸が所定間隔を有して互いに平行になるように前記第１取付部材及び前記第２取付部材を連結し、前記第１摺動板及び前記第２摺動板とそれぞれ接する第１摺動面及び第２摺動面を有する連結部材と、を含み、
前記第１摺動面は、前記第１方向に対して前記第１回転軸から前記第２回転軸に向かう連結方向のなす角度に応じて前記第１摺動板と前記第１回転軸との距離を規定するように形成され、
前記第２摺動面は、前記第２方向に対して前記連結方向のなす角度に応じて前記第２摺動板と前記第２回転軸との距離を規定するように形成されたヒンジ。
【請求項２】
前記連結部材は、前記第１回転軸及び前記第２回転軸に垂直な面内において略台形の形状を有し、頂辺及び底辺は前記連結方向に延び、斜辺は前記連結方向に対して４５度及び１３５度をなし、前記頂辺及び前記底辺と前記斜辺とが交点付近に面取部が形成され、前記第１摺動面及び前記第２摺動面は、前記斜辺及び前記面取部によって構成された請求項１に記載のヒンジ。
【請求項３】
前記第１取付部材は前記第１摺動板を前記第１方向に沿って案内する第１案内機構をさらに含み、前記第２取付部材は前記第２摺動板を前記第２方向に沿って案内する第２案内機構をさらに含む請求項１又は２に記載のヒンジ。
【請求項４】
前記第１取付部材は前記第１摺動板を前記第１方向に付勢する第１付勢部材をさらに含み、前記第２取付部材は前記第２摺動板を前記第２方向に付勢する第２付勢部材をさらに含む請求項１から３のいずれか一項に記載のヒンジ。
【請求項５】
前記第１付勢部材の最大長さを調整する第１調整ナット及び前記第２付勢部材の最大長さを調整する第２調整ナットをさらに含む請求項４に記載のヒンジ。
【請求項６】
前記第１調整ナット及び前記第２調整ナットは、前記第１付勢部材が付勢する力及び前記第２付勢部材が付勢する力がそれぞれゼロになるように調整することができる請求項５に記載のヒンジ。
【請求項７】
前記第１調整ナット及び前記第２調整ナットは、前記第１取付部材と前記第２取付部材がなす角度について、所定の角度範囲において所定の値より大きいトルクが発生するように調整することができる請求項５に記載のヒンジ。
【発明の詳細な説明】
【技術分野】
【０００１】
本発明は、本発明は板状の部材を互いに回転可能に連結するヒンジに関する。
【背景技術】
【０００２】
従来、板状の第１部材及び第２部材を回転可能に連結するヒンジにおいて、第１部材及び第２部材を回転する際に均一なトルクを提供することによって急速な回転を防止する技術が提供されている（特許文献１参照）。
【先行技術文献】
【特許文献】
【０００３】
【特許文献１】特開２０１３−０２３９３６号公報
【発明の概要】
【発明が解決しようとする課題】
【０００４】
特許文献１に開示された技術は、可動部を上方から下方へ下す操作の際の可動部の自重による落下衝撃を規制するために、第１部材及び第２部材の回転動作に均一のトルクを作用させるものである。しかし、均一のトルクが作用しているため、これらを回転させる操作、特に第１部材もしくは第２部材に取り付けられた可動部を上方に持ち上げる操作には大きな負担が必要であった。
【０００５】
本発明は、上述の実情に鑑みて提案されるものであって、第１部材及び第２部材を連結するヒンジであり、第１部材及び第２部材の急速な回転動作を付勢部材によって抑制しつつ、回転操作の補助力を得る構造とすることで、第１部材及び第２部材を容易に回転させることができるようヒンジを提供することを目的とするものである。
【課題を解決するための手段】
【０００６】
本願に係るヒンジは、上述の実情に鑑みて提供されるものであって、第１部材及び第２部材を互いに回転可能に支持するヒンジであって、前記第１部材に取り付けられ、第１回転軸の周りに回転可能であって、前記第１回転軸に向かう第１方向に付勢された第１摺動板を含む第１取付部材と、前記第２部材に取り付けられ、第２回転軸の周りに回転可能であって、前記第２回転軸に向かう第２方向に付勢された第２摺動板を含む第２取付部材と、前記第１回転軸及び前記第２回転軸が所定間隔を有して互いに平行になるように前記第１取付部材及び前記第２取付部材を連結し、前記第１摺動板及び前記第２摺動板とそれぞれ接する第１摺動面及び第２摺動面を有する連結部材と、を含み、前記第１摺動面は、前記第１方向に対して前記第１回転軸から前記第２回転軸に向かう連結方向のなす角度に応じて前記第１摺動板と前記第１回転軸との距離を規定するように形成され、前記第２摺動面は、前記第２方向に対して前記連結方向のなす角度に応じて前記第２摺動板と前記第２回転軸との距離を規定するように形成されている。
【０００７】
前記連結部材は、前記第１回転軸及び前記第２回転軸に垂直な面内において略台形の形状を有し、頂辺及び底辺は前記連結方向に延び、斜辺は前記連結方向に対して４５度及び１３５度をなし、前記頂辺及び前記底辺と前記斜辺とが交点付近に面取部が形成され、前記第１摺動面及び前記第２摺動面は、前記斜辺及び前記面取部によって構成されてもよい。
【０００８】
前記第１取付部材は前記第１摺動板を前記第１方向に沿って案内する第１案内機構をさらに含み、前記第２取付部材は前記第２摺動板を前記第２方向に沿って案内する第２案内機構をさらに含んでもよい。
【０００９】
前記第１取付部材は前記第１摺動板を前記第１方向に付勢する第１付勢部材をさらに含み、前記第２取付部材は前記第２摺動板を前記第２方向に付勢する第２付勢部材をさらに含んでもよい。
【００１０】
前記第１付勢部材の最大長さを調整する第１調整ナット及び前記第２付勢部材の最大長さを調整する第２調整ナットをさらに含んでもよい。前記第１調整ナット及び前記第２調整ナットは、前記第１付勢部材が付勢する力及び第２付勢部材が付勢する力がそれぞれゼロになるように調整することができてもよい。前記第１調整ナット及び前記第２調整ナットは、前記第１取付部材と前記第２取付部材がなす角度について、所定の角度範囲において所定の値より大きいトルクが発生するように調整することができてもよい。
【発明の効果】
【００１１】
本発明によると、第１部材及び第２部材を容易に回転させることができ、また、適切なトルクを提供することにより、第１部材及び第２部材の急速な回転を防止することができる。
【図面の簡単な説明】
【００１２】
【図１】本実施の形態のヒンジの構造を示す外観図である。
【図２】本実施の形態のヒンジの分解組立図である。
【図３】本実施の形態のヒンジの動作を説明する上面図である。
【図４】板状の第１部材及び第２部材に本実施の形態のヒンジを取り付けた状態を示す斜視図である。
【図５】本実施の形態のヒンジを適用した調理台を示す斜視図である。
【発明を実施するための形態】
【００１３】
以下、本実施の形態に係るヒンジについて、図面を参照して詳細に説明する。図１は、本実施の形態のヒンジの構造を示す外観図である。図１（ａ）はヒンジの上面図であり、図１（ｂ）はヒンジの側面図である。図２は、ヒンジの分解組立図である。以下では、便宜上、図１に示すように第１取付部材１０の長手方向と第２取付部材２０の長手方向が略直交した状態を参照してヒンジの構造を説明する。
【００１４】
本実施の形態のヒンジは、板状の第１部材に取り付けられる第１取付部材１０と、板状の第２部材に取り付けられる第２取付部材２０と、第１取付部材１０及び第２取付部材２０を互いに回転可能に連結する連結部材３０とを含んでいる。第１取付部材１０と連結部材３０とは第１回転軸Ａ１によって回転可能に連結され、第２取付部材２０と連結部材３０は第２回転軸Ａ２によって回転可能に連結されている。
【００１５】
第１取付部材１０は、やや細長い略矩形の輪郭を有する所定の厚さの第１プレート１０ａを含んでいる。第１プレート１０ａには、長手方向の一端付近に第１回転軸Ａ１が通る第１回転軸孔１０ｂが形成されている。また、第１プレート１０ａには、長手方向に沿って中央付近から他端付近までの間に等間隔に３個の第１取付孔１０ｊが形成されている。
【００１６】
第１プレート１０ａの上面には、長手方向に一端付近から中央付近までの間であって、第２取付部材２０に近い側の辺に、所定高さの第１側壁１０ｃが形成されている。第１側壁１０ｃの前記長手方向に他端側からは、第１プレート１０ａの第２取付部材２０に遠い側の辺まで幅方向に延び、第１プレート１０ａの上面を分断する所定高さの第１隔壁１０ｄが形成されている。第１隔壁１０ｄの略中央には、第１シャフト貫通孔１０ｅが形成されている。
【００１７】
また、第１プレート１０ａには、長手方向に一端付近から第１隔壁１０ｄまでの間であって、第２取付部材２０に遠い側の辺に、第１側壁１０ｃに対向するように、所定高さの第２側壁１０ｆが形成されている。同様に第２取付部材２０に遠い側の辺に、第１隔壁１０ｄを挟んで第２側壁１０ｆに続いて所定高さの第３側壁１０ｇが他端方向に前記長手方向に中央付近まで形成されている。
【００１８】
第１取付部材１０は、略矩形で所定の厚さを有する第１摺動板１２を含んでいる。第１摺動板１２は、摺動面を第１回転軸孔１０ｂを通る第１回転軸Ａ１に向けて、第１プレート１０ａ、第１プレート１０ａの長手方向に延びる第１側壁１０ｃ及び第２側壁１０ｆによって囲まれた間隙に格納されている。第１プレート１０ａ、第１側壁１０ｃ及び第２側壁１０ｆは、第１摺動板１２を前記長手方向であって、第１の回転軸Ａ１に向かう第１方向に沿って移動可能に案内する第１案内部１０ｈを構成している。
【００１９】
また、第１取付部材１０は、第１摺動板１２を第１方向に沿って移動可能に支持する第１シャフト１４と、第１摺動板１２を第１方向に付勢する圧縮コイルばねによる第１付勢部材１３とを含んでいる。第１シャフト１４は、一端が第１摺動板１２の背面に固定され、第１シャフト貫通孔１０ｅで移動可能に支持され、他端付近に二重の第１調整ナット１５が装着されている。
【００２０】
第１シャフト１４には、第１摺動板１２と第１隔壁１０ｄとの間に第１付勢部材１３が巻かれている。第１付勢部材１３は、第１摺動板１２と第１隔壁１０ｄによって挟持され、第１プレート１０ａ、第１プレート１０ａの長手方向に延びる第１側壁１０ｃ及び第２側壁１０ｆによって囲まれた間隙に格納されている。第１摺動板１２、第１プレート１０ａ、第１側壁１０ｃ、第２側壁１０ｆ及び第１隔壁１０ｄは、第１付勢部材１３を格納する第１付勢部材格納部１０ｉを構成している。
【００２１】
第１付勢部材１３は、第１摺動板１２と第１隔壁１０ｄとの間の距離に応じて第１摺動板１２に第１方向に向かう第１付勢力を提供する。第１摺動板１２と第１隔壁１０ｄとの距離が短くなるほど、第１付勢力は大きくなる。第１付勢力の大きさは、第１摺動板１２と第１隔壁１０ｄとがとり得る最大距離、換言すると第１付勢部材１３の最大長さを規定する第１調整ナット１５の位置によって調整することができる。
【００２２】
第１取付部材１０は、適切な輪郭で所定の厚みを有する金属板に第１回転軸孔１０ｂ、第１シャフト貫通孔１０ｅ及び第１取付孔１０ｊを形成し、適切に折り曲げることにより、第１プレート１０ａ、第１側壁１０ｃ、第１隔壁１０ｄ、第２側壁１０ｆ及び第３側壁１０ｇを形成することもできる。また、第１取付部材１０の作製に用いる金属板は、ステンレス鋼でなるものでもよい。
【００２３】
第２取付部材２０は、第１取付部材１０と略鏡映対称の構造を有している。第２取付部材２０は、やや細長い略矩形の輪郭を有する所定の厚さの第２プレート２０ａを含んでいる。第２プレート２０ａには、長手方向の一端付近に第２回転軸Ａ２が通る第２回転軸孔２０ｂが形成されている。また、第２プレート２０ａには、長手方向に沿って中央付近から他端付近までの間に等間隔に３個の第１取付孔２０ｊが形成されている。
【００２４】
第２プレート２０ａの上面には、長手方向に一端付近から中央付近までの間であって、第１取付部材１０に近い側の辺に、所定高さの第４側壁２０ｃが形成されている。第４側壁２０ｃの前記長手方向に他端側からは、第２プレート２０ａの第１取付部材１０に遠い側の辺まで幅方向に延び、第２プレート２０ａの上面を分断する所定高さの第２隔壁２０ｄが形成されている。第２隔壁２０ｄの略中央には、第２シャフト貫通孔２０ｅが形成されている。
【００２５】
また、第２プレート２０ａには、長手方向に一端付近から第２隔壁２０ｄまでの間であって、第１取付部材１０に遠い側の辺に、第４側壁２０ｃに対向するように、所定高さの第５側壁２０ｆが形成されている。同様に第１取付部材１０に遠い側の辺に、第２隔壁２０ｄを挟んで第５側壁２０ｆに続いて所定高さの第６側壁２０ｇが他端方向に前記長手方向に中央付近まで形成されている。
【００２６】
第２取付部材２０は、略矩形で所定の厚さを有する第２摺動板２２を含んでいる。第２摺動板２２は、摺動面を第２回転軸孔２０ｂを通る第１回転軸Ａ２に向けて、第２プレート２０ａ、第２プレート２０ａの長手方向に延びる第４側壁２０ｃ及び第５側壁２０ｆによって囲まれた間隙に格納されている。第２プレート２０ａ、第４側壁２０ｃ及び第５側壁２０ｆは、第２摺動板２２を前記長手方向であって、第２の回転軸Ａ２に向かう第２方向に沿って移動可能に案内する第２案内部２０ｈを構成している。
【００２７】
また、第２取付部材２０は、第２摺動板２２を第２方向に沿って移動可能に支持する第２シャフト２４と、第２摺動板２２を第２方向に付勢する圧縮コイルばねによる第２付勢部材２３とを含んでいる。第２シャフト２４は、一端が第２摺動板２２の背面に固定され、第２シャフト貫通孔２０ｅで移動可能に支持され、他端付近に二重の第２調整ナット２５が装着されている。
【００２８】
第２シャフト２４には、第２摺動板２２と第２隔壁２０ｄとの間に第２付勢部材２３が巻かれている。第２付勢部材２３は、第２摺動板２２と第２隔壁２０ｄによって挟持され、第２プレート２０ａ、第２プレート２０ａの長手方向に延びる第４側壁２０ｃ及び第５側壁２０ｆによって囲まれた間隙に格納されている。第２摺動板２２、第２プレート２０ａ、第４側壁２０ｃ、第５側壁２０ｆ及び第２隔壁２０ｄは、第２付勢部材２３を格納する第２付勢部材格納部２０ｉを構成している。
【００２９】
第２付勢部材２３は、第２摺動板２２と第２隔壁２０ｄとの間の距離に応じて第２摺動板２２に第２方向に向かう第２付勢力を提供する。第２摺動板２２と第２隔壁２０ｄとの距離が短くなるほど、第２付勢力は大きくなる。第２付勢力の大きさは、第２摺動板２２と第２隔壁２０ｄとがとり得る最大距離、換言すると第２付勢部材２３の最大長さを規定する第２調整ナット２５の位置によって調整することができる。
【００３０】
第２取付部材２０は、第１取付部材１０と同様に、適切な輪郭で所定の厚みを有する金属板に第２回転軸孔２０ｂ、第２シャフト貫通孔２０ｅ及び第２取付孔２０ｊを形成し、適切に折り曲げることにより、第２プレート２０ａ、第４側壁２０ｃ、第２隔壁２０ｄ、第５側壁２０ｆ及び第６側壁２０ｇを形成することもできる。また、第２取付部材２０の作製に用いる金属板は、ステンレス鋼でなるものでもよい。
【００３１】
連結部材３０は、略台形の輪郭で所定の厚みを有する部材であり、略台形の輪郭において、第１取付部材１０の幅方向に延びる第１斜辺と第２取付部材２０の幅方向に延びる第２斜辺とを有している。連結部材３０には、第１斜辺付近に第１回転軸Ａ１が通る第１回転軸孔３０ａが形成され、第２斜辺付近に第２回転軸Ａ２が通る第２回転軸孔３０ｂが形成されている。第１回転軸孔３０ａ及び第２回転軸孔３０ｂは、これらを通る第１回転軸Ａ１及び第２回転軸Ａ２が、所定距離にわたり離間して互いに平行になるように形成されている。
【００３２】
第１回転軸Ａ１から第２回転軸Ａ２に向かう連結方向に、略台形の輪郭の頂辺及び底辺が延びている。第１斜辺は、連結方向と略４５度の角度をなしている。また、第２斜辺は、連結方向と略１３５度の角度をなしている。
【００３３】
連結部材３０には、略台形の輪郭において、頂辺及び底辺が第１斜辺と交差する交点付近にそれぞれ略アール状の面取部が形成されている。面取部は、略アール状に限らず長辺及び底辺を第１斜辺と滑らかに接続するものであればよい。第１斜辺及び面取部は、第１回転軸Ａ１についての角度、例えば第１方向と連結方向のなす角度に応じて第１回転軸Ａ１からの距離が規定される第１摺動面３０ｃを形成している。
【００３４】
また、連結部材３０には、略台形の輪郭において、頂辺及び底辺が第２斜辺と交差する交点付近にそれぞれ略アール状の面取部が形成されている。面取部は、略アール状に限らず長辺及び底辺を第２斜辺と滑らかに接続するものであればよい。第２斜辺及び面取部は、第２回転軸Ａ２についての角度、例えば第２方向と連結方向のなす角度に応じて第２回転軸Ａ２からの距離が規定される第２摺動面３０ｄを形成している。
【００３５】
連結部材３０は、第１回転軸孔３０ａとともに第１取付部材１０の第１回転軸孔１０ｂを通る第１回転軸ボルト１６によって第１取付部材１０と第１回転軸Ａ１について互いに回転可能に連結されている。第１回転軸ボルト１６は、第１取付部材１０及び連結部材３０支持するように二重の第１回転軸ナット１７によって固定されている。第１取付部材１０と連結部材３０との間、連結部材３０と第１回転軸ナット１７との間には、それぞれワッシャ１８が設けられている。
【００３６】
また、連結部材３０は、第２回転軸孔３０ｂとともに第２取付部材２０の第２回転軸孔２０ｂを通る第２回転軸ボルト２６によって第２取付部材２０と第２回転軸Ａ２について互いに回転可能に連結されている。第２回転軸ボルト２６は、第２取付部材２０及び連結部材３０を支持するように二重の第２回転軸ナット２７によって固定されている。第２取付部材２０と連結部材３０との間、連結部材３０と第２回転軸ナット２７との間には、それぞれワッシャ２８が設けられている。
【００３７】
連結部材３０の第１摺動面３０ｃには、第１取付部材１０の第１摺動板１２が接し、第１回転軸Ａ１に向かう第１方向に第１付勢力を及ぼしている。第１摺動板１２は、連結部材３０の第１摺動面３０ｃに接するように第１方向に沿って移動できる。第１付勢力は、第１摺動板１２が第１方向と逆の方向に移動するほど大きくなる。
【００３８】
また、連結部材３０の第２摺動面３０ｄには、第２取付部材２０の第２摺動板２２が接し、第２回転軸Ａ２に向かう第２方向に第２付勢力を及ぼしている。第２摺動板２２は、連結部材３０の第２摺動面３０ｄに接するように第２方向に沿って移動できる。第２付勢力は、第２摺動板２２が第２方向と逆の方向に移動するほど大きくなる。
【００３９】
連結部材３０は、適切な輪郭で所定の厚みを有する金属板に第１回転軸孔３０ａ及び第２回転軸孔３０ｂを形成し、所定の枚数を積み重ねることによって作製することもできる。連結部材３０の作製に用いる金属板は、ステンレス鋼でなるものでもよい。
【００４０】
図３は、ヒンジの動作を説明する上面図である。図３（ａ）は、ヒンジが略９０度に開いた状態を示している。ここで、第１取付部材１０、第２取付部材２０及び連結部材３０の角度は、第１取付部材１０の第１摺動板１２が第１回転軸Ａ１に向かう第１方向と、第２部材の第２摺動板２２が第２回転軸Ａ２に向かう第２方向と、連結部材３０において第１回転軸Ａ１から第２回転軸Ａ２に向かう連結方向とを基準にして規定する。図３（ａ）のヒンジが略９０度開いた状態では、第１取付部材１０と連結部材３０は略４５度の角度をなし、第２取付部材２０と連結部材３０は略１３５度の角度をなしている。
【００４１】
第１取付部材１０と連結部材３０が略４５度の角度をなすとき、連結部材３０の第１摺動面３０ｃは第１斜辺に相当する部分が第１取付部材１０の第１摺動板１２に接し、第１回転軸Ａ１から第１摺動面３０ｃまでの距離は略極小となる。換言すると、第１摺動板１２と第１隔壁１０ｄとに挟持される第１付勢部材１３の長さは略極大となる。したがって、第１付勢部材１３による第１付勢力は略極小となる。
【００４２】
第２取付部材２０と連結部材３０が略１３５度の角度をなすとき、連結部材３０の第２摺動面３０ｄは第２斜辺に相当する部分が第２取付部材２０の第２摺動板２２に接し、第２回転軸Ａ２から第２摺動面３０ｄまでの距離は略極小となる。換言すると、第２摺動板２２と第２隔壁２０ｄとに挟持される第２付勢部材２３の長さは略極大となる。したがって、第２付勢部材２３による第２付勢力は略極小となる。
【００４３】
このように、図３（ａ）に示したヒンジが略９０度に開いた状態では、第１付勢力及び第２付勢力がそれぞれ略極小となる。第１付勢力は、第１取付部材１０と連結部材３０のなす角度が略４５度を維持するように作用する。第２付勢力は、第２取付部材２０と連結部材３０のなす角度が略１３５度を維持するように作用する。したがって、第１付勢力及び第２付勢力は、ヒンジが略９０度に開いた状態からヒンジの回転を抑制する方向にトルクを与える。
【００４４】
図３（ｂ）は、ヒンジが略完全に閉じた状態を示している。第１取付部材１０と第２取付部材２０は、略０度の角度をなしている。第１取付部材１０と連結部材３０は略９０度の角度をなし、第２取付部材２０と連結部材３０も略９０度の角度をなしている。
【００４５】
第１取付部材１０と連結部材３０が略９０度の角度をなすとき、連結部材３０の第１摺動面３０ｃは頂辺に相当する部分が第１取付部材１０の第１摺動板１２に接し、第１回転軸Ａ１から第１摺動面３０ｃまでの距離は略極大となる。換言すると、第１摺動板１２と第１隔壁１０ｄとに挟持される第１付勢部材１３の長さは略極小となる。したがって、第１付勢部材１３による第１付勢力は略極大となる。
【００４６】
第２取付部材２０と連結部材３０が略９０度の角度をなすとき、連結部材３０の第２摺動面３０ｄは頂辺に相当する部分が第２取付部材２０の第２摺動板２２に接し、第２回転軸Ａ２から第２摺動面３０ｄまでの距離は略極大となる。換言すると、第２摺動板２２と第２隔壁２０ｄとに挟持される第２付勢部材２３の長さは略極小となる。したがって、第２付勢部材２３による第２付勢力は略極大となる。
【００４７】
このように、図３（ｂ）に示したヒンジが略完全に閉じた状態では、第１付勢力及び第２付勢力がそれぞれ略極大となる。第１付勢力は、第１取付部材１０と連結部材３０のなす角度が略９０度より小さくなるように作用する。第２付勢力は第２取付部材２０と連結部材３０のなす角度が９０度より大きくなるように作用する。したがって、第１付勢力及び第２付勢力は、ヒンジが略完全に閉じた状態からヒンジを開くためのトルクを低減させ、ヒンジが略完全に閉じかけた状態からヒンジを略完全に閉じるためのトルクを増加させる。
【００４８】
図３（ｃ）は、ヒンジが略完全に開いた状態を示している。第１取付部材１０と第２取付部材２０は、略１８０度の角度をなしている。第１取付部材１０と連結部材３０は略０度の角度をなし、第２取付部材２０と連結部材３０は略１８０度の角度をなしている。
【００４９】
第１取付部材１０と連結部材３０が略０度の角度をなすとき、連結部材３０の第１摺動面３０ｃは第１斜辺と底面との交点付近に形成された面取部において、第１回転軸Ａ１から第１方向に沿って最も離れた部分が第１取付部材１０の第１摺動板１２に接し、第１回転軸Ａ１から第１摺動面３０ｃまでの距離は略極大となる。換言すると、第１摺動板１２と第１隔壁１０ｄとに挟持される第１付勢部材１３の長さは略極小となる。したがって、第１付勢部材１３による第１付勢力は略極大となる。
【００５０】
第２取付部材２０と連結部材３０が略１８０度の角度をなすとき、連結部材３０の第２摺動面３０ｄは第２斜辺と底面との交点付近に形成された面取部において、第２回転軸Ａ２から第２方向に沿って最も離れた部分が第２取付部材２０の第２摺動板２２に接し、第２回転軸Ａ２から第２摺動面３０ｄまでの距離は略極大となる。換言すると、第２摺動板２２と第２隔壁２０ｄとに挟持される第２付勢部材２３の長さは略極小となる。したがって、第２付勢部材２３による第２付勢力は略極大となる。
【００５１】
このように、図３（ｃ）に示したヒンジが略完全に開いた状態では、第１付勢力及び第２付勢力がそれぞれ略極大となる。第１付勢力は、第１取付部材１０と連結部材３０のなす角度が０度より大きくなるように作用する。第２付勢力は第２取付部材２０と連結部材３０のなす角度が１８０度より小さくなるように作用する。したがって、第１付勢力及び第２付勢力は、ヒンジが略完全に開いた状態からヒンジを閉じるためのトルクを低減させ、ヒンジが略完全に開きかけた状態からヒンジを略完全に開くためのトルクを増加させる。
【００５２】
なお、第１調整ナット１５及び第２調整ナット２５によって、第１付勢力及び第２付勢力がそれぞれゼロになるようにすることもできる。このことは、第１調整ナット１５によって第１摺動板１２と第１隔壁１０ｄとがとり得る距離が常に第１付勢部材１３の自然長以上になるように調整し、第２調整ナット２５によって第２摺動板２２と第２隔壁２０ｄとがとり得る距離が常に第２付勢部材２３の自然長以上になるように調整することによって実現できる。このとき、第１取付部材１０、第２取付部材２０及び連結部材３０は、第１回転軸Ａ１及び第２回転軸Ａ２について自由に回転することができる。第１取付部材１０及び第２取付部材２０が自由に回転することができるため、板状の第１部材及び第２部材へのヒンジの取付が容易になる。
【００５３】
また、第１調整ナット１５及び第２調整ナット２５によって、第１付勢力及び第２付勢力の大きさを調整することもできる。例えば、第１調整ナット１５によって第１摺動板１２と第１隔壁１０ｄがとり得る最大距離を小さくすると第１付勢部材１３による第１付勢力は大きくなり、前記最大距離を大きくすると第１付勢力は小さくなる。第２調整ナット２５と第２付勢力との関係も同様である。このように第１付勢力及び第２付勢力の大きさを調整することによって、ヒンジの発生するトルクの大きさも制御することができる。例えば、第１取付部材１０と第２取付部材２０がなす角度が所定範囲において所定値よりも大きいトルクを発生することができる。このことによって、所定の大きさより大きいトルクで回転を促進したり抑制したりする角度の範囲を設定することもできる。
【００５４】
図４は、板状の第１部材及び第２部材に本実施の形態のヒンジを取り付けた状態を示す斜視図である。第１部材１０１は、図示しない水平面によって支持され、略水平面内にある。第１部材１０１及び第２部材１０２は例えば木材であってもよい。
【００５５】
第１部材１０１には、一方の端面１０１ａに第１取付部材１０の第１プレート１０ａの上面が対向するように、第１取付孔１０ｊを通じたねじ止めにより第１取付部材１０が取り付けられている。第１部材１０１の一方の端面１０１ａには所定の凹部が形成され、第１取付部材１０の第１プレート１０ａの上面に形成された第１案内部１０ｈ及び第１付勢部材格納部１０ｉを含む構造を収容している。
【００５６】
第２部材１０２には、一方の端面１０２ａに第２取付部材２０の第２プレート２０ａの上面が対向するように、第２取付孔２０ｊを通じたねじ止めにより第２取付部材２０が取り付けられている。第２部材１０２の一方の端面１０２ａには所定の凹部が形成され、第２取付部材２０の第２プレート２０ａの上面に形成された第２案内部２０ｈ及び第２付勢部材格納部２０ｉを含む構造を収容している。第１部材１０１の他方の端面１０１ｂ及び第２部材１０２の他方の端面１０２ｂについても、同様に所定にヒンジが取り付けられている。
【００５７】
第１部材１０１及び第２部材１０２は、本実施の形態のヒンジによって第１回転軸Ａ１及び第２回転軸Ａ２について回転可能に支持され、図４の矢印のように開閉をすることができる。
【００５８】
図４のように第１部材１０１と第２部材１０２が略９０度の角度で開いた状態で、第２取付部材２０の一端は図示しない水平面に接し、第２部材１０２の質量は水平面によって支持されている。この状態で、第１取付部材１０と連結部材３０は略０度の角度をなし、第２取付部材２０と連結部材３０は略９０度の角度をなす。ヒンジの第１付勢力及び第２付勢力は、ともに略極大となる。したがって、ヒンジは、第１部材１０１及び第２部材１０２に互いに回転を促進する方向にトルクを及ぼす。
【００５９】
なお、第２取付部材２０の質量が小さい場合には、第２取付部材２０の一端は図示しない水平面に接することはなく、図３（ａ）に示したように、第１取付部材１０と連結部材３０は略４５度の角度をなし、第２取付部材２０と連結部材３０は略１３５度の角度をなしてもよい。この場合、ヒンジの第１付勢力及び第２付勢力は略極小となる。したがって、ヒンジは、第１部材１０１及び第２部材１０２に互いに回転を抑制する方向にトルクを及ぼす。
【００６０】
第１部材１０１と第２部材１０２を略完全に閉じた状態は、図３（ｂ）に対応し、ヒンジの第１付勢力及び第２付勢力は略極大となる。ヒンジは、第１部材１０１と第２部材１０２が略完全に閉じた状態から第１部材１０１と第２部材１０２を開くときに第１部材１０１及び第２部材１０２に与えるトルクを低減させ、第１部材１０１と第２部材１０２を略完全に閉じるときに第１部材１０１及び第２部材１０２に与えるトルクを増加させる。
【００６１】
このように、第１部材１０１と第２部材１０２が略完全に閉じた状態では、ヒンジは、第１部材１０１及び第２部材１０２が互いに開く方向にトルクを及ぼして動作を促進し、第１部材１０１及び第２部材１０２が互いに閉じる方向とは逆にトルクを及ぼして動作を抑制する。したがって、略完全に閉じた状態では、第１部材１０１及び第２部材１０２は、互いに軽く開くとともに、ゆっくり閉じるようになる。
【００６２】
第１部材１０１と第２部材１０２を略完全に開いた状態は、図３（ｃ）に対応し、ヒンジの第１付勢力及び第２付勢力は略極大となる。ヒンジは、第１部材１０１と第２部材１０２が略完全に開いた状態から第１部材１０１と第２部材１０２を閉じるときに第１部材１０１及び第２部材１０２に与えるトルクを低減させ、第１部材１０１と第２部材１０２を略完全に開くときに第１部材１０１及び第２部材１０２に与えるトルクを増加させる。
【００６３】
このように、第１部材１０１と第２部材１０２が略完全に開いた状態では、ヒンジは、第１部材１０１及び第２部材１０２が互いに閉じる方向にトルクを及ぼして動作を促進し、第１部材１０１及び第２部材１０２が互いに開く方向とは逆にトルクを及ぼして動作を抑制する。したがって、略完全に開いた状態では、第１部材１０１及び第２部材１０２は、互いに軽く閉じるとともに、ゆっくり開くようになる。
【００６４】
図４中の矢印に従い、第２部材１０２が開く回転方向に、第１部材１０１と第２部材１０２が略完全に閉じた状態から略完全に開いた状態まで第２部材１０２を回転させると、ヒンジによって、第２部材１０２を略完全に閉じた状態から開くときに動作を促進するトルクが及ぼされ、第２部材１０２を略完全に開いた状態に開くときに動作を抑制するトルクが及ぼされる。したがって、第２部材１０２は、略完全に閉じた状態から軽く開き、略完全に開く状態にゆっくり開くことができる。
【００６５】
これとは逆に、第２部材１０２が閉じる回転方向に、第１部材１０１と第２部材１０２が略完全に開いた状態から略完全に閉じた状態まで第２部材１０２を回転させると、ヒンジによって、第２部材１０２を略完全に開いた状態から閉じるときに動作を促進するトルクが及ぼされ、第２部材１０２を略完全に閉じた状態に閉じるときに動作を抑制するトルクが及ぼされる。したがって、第２部材１０２は、略完全に開いた状態から軽く閉じ、略完全に閉じた状態にゆっくり閉じることができる。
【００６６】
第１部材１０１と第２部材１０２を互いに回転させるときにヒンジによって及ぼされるトルクは、第１調整ナット１５及び第２調整ナット２５によって、第１付勢力及び第２付勢力の大きさそれぞれ設定することにより調整することができる。一般に、第１付勢力及び第２付勢力が大きくなるほどトルクは大きくなり、第１付勢力及び第２付勢力が小さくなるとトルクも小さくなる。このことによって、第２部材１０２が開く回転方向に、どの角度まで第２部材１０２が軽く開き、どの角度から第２部材１０２がゆっくり閉じるかを調整することができる。同様に、第２部材１０２が閉じる回転方向に、どの角度まで第２部材１０２が軽く閉じ、どの角度から第２部材１０２がゆっくり開くかを調整することができる。
【００６７】
第１部材１０１及び第２部材１０２にヒンジによって及ぼされるトルクは、第１方向及び第２方向と連結方向のそれぞれがなす角度に従い、連結部材３０の第１摺動面３０ｃ及び第２摺動面３０ｄの形状に応じたプロファイルを有する。したがって、第１摺動面３０ｃ及び第２摺動面３０ｄを適切に形成することにより、ヒンジの及ぼすトルクが角度に応じて所望のプロファイルになるようにすることができる。
【００６８】
第１部材１０１の一方の端面１０１ａ及び第２部材１０２の一方の端面１０２ａには、第１取付部材１０の第１プレート１０ａ及び第２取付部材２０の第２プレート２０ａの上面に形成された構造をそれぞれ収容する凹部が形成されている。これら凹部は、第１プレート１０ａの上面に形成された第１案内部１０ｈ及び第１付勢部材格納部１０ｉ、第２プレート２０ａの上面に形成された第２案内部２０ｈ及び第２付勢部材格納部２０ｉをそれぞれ収容すればよい。本実施の形態では、回転軸方向を軸方向とするコイルばねを収容する必要がないため、凹部は浅くても十分であり、容易に形成することができる。第１部材１０１の他方の端面１０１ｂ及び第２部材１０２の他方の端面１０２ｂについても同様である。
【００６９】
図４に示したように、本実施の形態のヒンジは第１部材１０１の一方の端面１０１ａ及び第２部材１０２の一方の端面１０２ａに第１取付部材１０の第１プレート１０ａの上面及び第２取付部材２０の第２プレート２０ａの上面がそれぞれ対向するように取り付けられている。本実施の形態のヒンジの取り付け方はこれに限られず、第１部材１０１の一方の端面１０１ａ及び第２部材１０２の一方の端面１０２ａに第１取付部材１０の第１プレート１０ａの下面及び第２取付部材２０の第２プレート２０ａの下面がそれぞれ対向するように取り付けてもよい。第１部材１０１の他方の端面１０１ｂ及び第２部材１０２の他方の端面１０２ｂに取り付けられるヒンジについても同様である。
【００７０】
このようにヒンジを取り付ける場合には、第１部材１０１の一方の端面１０１ａ及び第２部材１０２の一方の端面１０２ａには、第１取付部材１０の第１プレート１０ａ及び第２取付部材２０の第２プレート２０ａの上面に形成された構造を収容するための凹部を形成する必要がない。したがって、凹部を形成する工程が不要であり、構造も簡素化される。
【００７１】
一方、第１取付部材１０の第１プレート１０ａの上面に形成された第１案内部１０ｈ及び第１付勢部材格納部１０ｉを含む構造と、第２取付部材２０の第２プレート２０ａの上面に形成された第２案内部２０ｈ及び第２付勢部材格納部２０ｉを含む構造が露出する。これらの構造や第１プレート１０ａ及び第２プレート２０ａの上面等をカバーで覆うようにしてもよい。第１部材１０１の他方の端面１０１ｂ及び第２部材１０２の他方の端面１０２ｂに取り付けられるヒンジについても同様である。
【００７２】
図５は、本実施の形態のヒンジを適用した調理台を示す斜視図である。調理台２００は、本体の上面の中央領域に主天板２０１が設けられている。主天板２０１には、図中左側のシンク２０２の上部を覆って格納することができるように、第１可動天板２０３が本実施の形態のヒンジ２１１、２１２によって回転可能に取り付けられている。また、主天板２０１には、図中右側のコンロ２０４の上部を覆って格納することができるように、第２可動天板２０５が本実施の形態のヒンジ２１３、２１４によって回転可能に取り付けられている。
【００７３】
第１可動天板２０３は、シンク２０２が使用されるときには開かれ、シンク２０２が使用されないときには閉じられる。第１可動天板２０３が略完全に閉じた状態に閉じるときには、本実施の形態のヒンジ２１１、２１２の提供する付勢力によって、第１可動天板２０３を略完全に閉じる回転を抑制するトルクが作用する。したがって、第１可動天板２０３はゆっくり閉じ、操作者の身体等が第１可動天板２０３とシンク２０２との間に意図せずに挟まったりする虞が低減する。
【００７４】
第１可動天板２０３が略完全に閉じた状態から開くときには、本実施の形態のヒンジ２１１、２１２の提供する付勢力によって、第１可動天板２０３を開く回転を促進するトルクが作用する。したがって、第１可動天板２０３は軽く開き、操作者の負担が軽減される。
【００７５】
第１可動天板２０３が略完全に開いて主天板２０１に重ねるときには、本実施の形態のヒンジ２１１、２１２の提供する付勢力によって、第１可動天板２０３を略完全に開く回転を抑制するトルクが作用する。したがって、第１可動天板２０３はゆっくりと主天板２０１に重なり、操作者の身体等が第１可動天板２０３と主天板２０１との間に意図せずに挟まったりする虞が低減する。
【００７６】
第１可動天板２０３が略完全に開いて主天板２０１に重なった状態から持ち上げるときには、本実施の形態のヒンジ２１１、２１２の提供する付勢力によって、第１可動天板２０３を閉じる回転を促進するトルクが作用する。したがって、第１可動天板２０３は軽く持ち上がり、操作者の負担が軽減される。
【００７７】
第２可動天板２０５は、コンロ２０４が使用されるときには開かれ、コンロ２０４が使用されないときには閉じられる。第２可動天板２０５が略完全に閉じるときには、本実施の形態のヒンジ２１３、２１４の提供する付勢力によって、第２可動天板２０５を略完全に閉じる回転を抑制するトルクが作用する。したがって、第２可動天板２０５はゆっくり閉じ、操作者の身体等が第２可動天板２０５とコンロ２０４との間に意図せずに挟まったりする虞が低減する。
【００７８】
第２可動天板２０５が略完全に閉じた状態から開くときには、本実施の形態のヒンジ２１３、２１４の提供する付勢力によって、第２可動天板２０５を開く回転を促進するトルクが作用する。したがって、第２可動天板２０５は軽く開き、操作者の負担が軽減される。
【００７９】
第２可動天板２０５が略完全に開いて主天板２０１に重ねるときには、本実施の形態のヒンジ２１３、２１４の提供する付勢力によって、第２可動天板２０５を略完全に開く回転を抑制するトルクが作用する。したがって、第２可動天板２０５はゆっくりと主天板２０１に重なり、操作者の身体等が第２可動天板２０５と主天板２０１との間に意図せずに挟まったりする虞が低減する。
【００８０】
第２可動天板２０５が略完全に開いて主天板２０１に重なった状態から持ち上げるときには、本実施の形態のヒンジ２１３、２１４の提供する付勢力によって、第２可動天板２０５を閉じる回転を促進するトルクが作用する。したがって、第２可動天板２０５は軽く持ち上がり、操作者の負担が軽減される。
【００８１】
このように、本実施の形態のヒンジを適用した調理台は、操作者の操作の負担が軽減されているとともに、操作者の身体を挟んだりする虞がなく安全性も確保されている。したがって、児童が調理実習で使用する調理台に適している。また、調理台に限らず、コンビニエンスストア、スナックバーなどで設置される跳ね上げ式扉や跳ね上げ式カウンターなどにも適用することができる。
【符号の説明】
【００８２】
１０  第１取付部材
１２  第１摺動板
２０  第２取付部材
２２  第２摺動板
３０  連結部材
３０ｃ  第１摺動面
３０ｄ  第２摺動面
【図１】
2018003533.tif 000003
【図２】
2018003533.tif 000004
【図３】
2018003533.tif 000005
【図４】
2018003533.tif 000006
【図５】
2018003533.tif 000007